(57)【要約】【課題】網膜の視力を簡便に測定する。【解決手段】光線を出射する光源部と、画像を表示する表示部と、視標の画像を含む検査用画像データと、検査用画像データと対応付けられた光線の出力値と、を含む検査条件情報を保持する検査条件保持部と、検査条件情報に含まれる前記検査用画像データに基づいて、出力値が示す光量の光線を生成して、光源部から光線の出射制御を行う光線出力制御部と、光線を走査して検査用画像光線を生成する走査ミラーと、検査用画像光線を検査用画像として被験者の網膜に投影する投影部と、前記被験者により視認された視標を示す情報の入力又は前記視標の選択を受け付ける入力部と、入力部により受け付けた、被験者により視認された指標を示す情報又は被験者により選択された指標を示す情報と、検査条件情報と、を含む検査結果情報が格納される検査結果格納部と、を有する。【選択図】図１
2019097806.tif 000002
【特許請求の範囲】
【請求項１】
光線を出射する光源部と、
視標の画像を含む検査用画像データと、前記検査用画像データと対応付けられた前記光線の出力値と、を含む検査条件情報を保持する検査条件保持部と、
前記検査条件情報に含まれる前記検査用画像データに基づいて、前記出力値が示す光量の光線を生成して、前記光源部から光線の出射制御を行う光線出力制御部と、
前記光線を走査して検査用画像光線を生成する走査ミラーと、
前記検査用画像光線を検査用画像として被験者の網膜に投影する投影部と、
前記被験者により視認された視標を示す情報の入力又は前記視標の選択を受け付ける入力部と、
前記入力部が受け付けた、前記被験者により視認された指標を示す情報又は前記被験者により選択された指標を示す情報と、前記検査条件情報と、を含む検査結果情報が格納される検査結果格納部と、を有する、視力検査装置。
【請求項２】
前記検査結果情報を外部装置へ出力する出力処理部を有する請求項１記載の視力検査装置。
【請求項３】
前記検査条件情報に含まれる前記出力値は、
前記光源部から出射される青色レーザ光と、赤色レーザ光と、緑色レーザ光のそれぞれの光量の値を含む、請求項１又は２記載の視力検査装置。
【請求項４】
前記検査用画像データは、視標毎の、前記検査用画像において前記視標が表示される位置を示す位置情報を含み、
前記検査用画像において、前記被験者に選択された視標の位置情報を、前記被験者の視野を示す情報として、前記検査結果情報に含める、請求項１乃至３の何れか一項に記載の視力検査装置。
【請求項５】
前記光線出力制御部は、
前記被験者の視野を示す情報に基づく領域に、前記検査用画像を投影する画像を検査用画像データとして出力する、請求項４記載の視力検査装置。
【請求項６】
前記視標は、ランドルト環であって、前記位置情報は、前記ランドルト環の中心点の座標である、請求項４又は５記載の視力検査装置。
【請求項７】
前記検査用画像は、前記視標の画像の大きさが異なる複数の前記検査用画像を含む、請求項１乃至６の何れか一項に記載の視力検査装置。
【請求項８】
前記検査結果情報は、前記被験者を識別する識別情報を含み、
前記光線出力制御部は、
前記被験者を識別する識別情報と対応する検査結果情報に含まれる検査条件情報に基づき、前記光線を生成して、前記光源部から画像用光線を出射させる、請求項１乃至７の何れか一項に記載の視力検査装置。
【請求項９】
前記光線出力制御部は、あらかじめ設定された所定の出力値で前記光線を出射させる、請求項１乃至８の何れか一項に記載の視力検査装置。
【請求項１０】
前記光源部と、前記光線出力制御部と、前記走査ミラーと、前記投影部とが、前記被験者の頭部に装着可能なゴーグル形状又は眼鏡形状のフレームに組み込まれた請求項１乃至９の何れか一項に記載の視力検査装置。
【請求項１１】
画像を表示する表示部と、
前記検査用画像データから検査用画像を生成して前記表示部に表示する表示制御部と、を有し、
前記検査条件保持部は、
複数の検査用画像データと、前記複数の検査用画像データ毎の前記出力値と、を含み、
前記表示制御部は、
前記表示部に前記被験者の網膜に投影する検査用画像が含まれる前記検査条件情報を表示させ、
前記光線出力制御部は、
選択された検査条件情報に基づき、前記光線を生成して、前記光源部から光線を出射させる請求項１乃至１０の何れか一項に記載の視力検査装置。
【請求項１２】
視力検査装置による視力検査方法であって、前記視力検査装置が、
光源部から光線を出射する手順と、
視標の画像を含む検査用画像データと、前記検査用画像データと対応付けられた前記光線の出力値と、を含む検査条件情報を記憶部に保持する手順と、
前記検査条件情報に含まれる前記検査用画像データに基づいて、前記出力値が示す光量の光線を生成して、前記光源部から光線の出射制御を行う手順と、
前記光線を走査ミラーにより走査して検査用画像光線を生成する手順と、
投影部により、前記検査用画像光線を検査用画像として被験者の網膜に投影する手順と、
前記被験者により視認された視標を示す情報の入力又は前記視標の選択を入力部により受け付ける手順と、
受け付けた前記被験者により視認された指標を示す情報又は前記被験者により選択された指標を示す情報と、前記検査条件情報と、を含む検査結果情報を検査結果格納部に格納する手順と、を有する、視力検査方法。
【請求項１３】
視力検査装置と、前記視力検査装置と通信を行う端末装置と、を有する視力検査システムであって、
前記視力検査装置は、
光線を出射する光源部と、
視標の画像を含む検査用画像データと、前記検査用画像データと対応付けられた前記光線の出力値と、を含む検査条件情報を保持する検査条件保持部と、
前記検査条件情報に含まれる前記検査用画像データに基づいて、前記出力値が示す光量の光線を生成して、前記光源部から光線の出射制御を行う光量出力制御部と、
前記光線を走査して検査用画像光線を生成する走査ミラーと、
前記検査用画像光線を検査用画像として被験者の網膜に投影する投影部と、
前記被験者により視認された視標を示す情報の入力又は前記視標の選択を受け付ける入力部と、
前記入力部により受け付けた、前記被験者により視認された指標を示す情報又は前記被験者により選択された指標を示す情報と、前記検査条件情報と、を含む検査結果情報が格納される検査結果格納部と、
前記検査結果情報を前記端末装置に出力する出力部と、を有し、
前記端末装置は、
前記検査結果情報を表示させる表示部を有する、視力検査システム。
【請求項１４】
前記視力検査装置が請求項２乃至１１の何れか一項に記載の視力検査装置である、請求項１３に記載の視力検査システム。
【請求項１５】
視力検査装置と、前記視力検査装置と通信を行う端末装置と、を有する視力検査システムであって、
前記端末装置は、
視標の画像を含む検査用画像データと、前記検査用画像データと対応付けられた光量の出力値と、を含む検査条件情報を保持する検査条件保持部と、
前記検査条件情報を前記視力検査装置へ出力する出力処理部と、
画像を表示する表示部と、
前記検査用画像データから検査用画像を生成して前記表示部に表示する表示制御部と、
前記表示部に表示された前記検査用画像において、被験者により視認された視標に基づく、前記被験者の視力を示す情報と、前記検査条件情報と、を含む検査結果情報を格納する検査結果格納部と、を有し、
前記視力検査装置は、
光線を出射する光源部と、
前記検査条件情報を入力する画像入力部と、
入力された前記検査条件情報に含まれる前記検査用画像データに基づいて、前記光線の前記出力値が示す光量の光線を生成して、前記光源部から光線の出射制御を行う光量出力制御部と、
前記光線を走査して検査用画像光線を生成する走査ミラーと、
前記検査用画像光線を検査用画像として被験者の網膜に投影する投影部とを有する、視力検査システム。
【発明の詳細な説明】
【技術分野】
【０００１】
本発明は、網膜走査型視力検査装置、網膜走査型視力検査システム、網膜走査型視力検査方法に関する。
【背景技術】
【０００２】
従来の視力検査では、視力検査用の視標と被験者との距離を一定に保ち、視標の形状を被験者に回答させることで、被験者の視力を測定する方式が一般的である。
【０００３】
また、通常の視力検査は、眼科外来等において、視能訓練士によって行われる。具体的には、視力検査では、はじめにそのままの状態で裸眼視力を測定し、つぎに被験者の眼の屈折率等を測定し、検査用の眼鏡のレンズの度数を交換し、自覚的な視力向上の有無を確認しつつ、最も良い視力が出るレンズ度数を決め、このレンズによる矯正視力を測定する。
【０００４】
すなわち、従来の視力検査では、検査用の眼鏡によって、被験者の網膜上にピントを合わせ、被験者の屈折による視力への影響を取り除いた網膜の視力を、矯正視力として測定している。
【先行技術文献】
【特許文献】
【０００５】
【特許文献１】特表２０１６−５０３５３７号公報
【特許文献２】特開平５−１８４５３９号公報
【発明の概要】
【発明が解決しようとする課題】
【０００６】
人の視力は、屈折の状態と、網膜の疾患との両方に影響されるものであり、仮に網膜の疾患が原因で視力が低下した場合等には、眼鏡やコンタクトレンズ等の矯正器具では視力を改善させることが難しい。また、網膜の疾患であった場合には、放置することで疾患が進行する可能性がある。このため、臨床上では、裸眼視力と比較すると矯正視力（網膜の視力）の方が重要な情報であり、定期的に測定し、測定結果の情報を医師に提示して診察を受けることが望ましい。
【０００７】
ところで、上述した従来の視力検査は、視能訓練士が検査用の眼鏡を用いて行うものである。また、自己眼鏡を用いた視力は、疾病により屈折が変化して眼鏡が合わなくなることにより視力が低下する場合があり、矯正視力とは同一ではない。さらに、従来の視力検査では、例えば、周囲の明るさ等の環境よって、検査結果が変わる場合がある。これらのことから、矯正視力を測定するためには、眼科を受診する必要がある。
【０００８】
開示の技術は、上述した事情に鑑みて成されたものであり、網膜の視力を簡便に測定することを目的としている。
【課題を解決するための手段】
【０００９】
開示の技術は、光線を出射する光源部と、画像を表示する表示部と、視標の画像を含む検査用画像データと、前記検査用画像データと対応付けられた前記光線の出力値と、を含む検査条件情報を保持する検査条件保持部と、前記検査条件情報に含まれる前記検査用画像データに基づいて、前記出力値が示す光量の光線を生成して、前記光源部から光線の出射制御を行う光線出力制御部と、前記光線を走査して検査用画像光線を生成する走査ミラーと、前記検査用画像光線を検査用画像として被験者の網膜に投影する投影部と、前記被験者により視認された視標を示す情報の入力又は前記視標の選択を受け付ける入力部と、前記入力部により受け付けた、前記被験者により視認された指標を示す情報又は前記被験者により選択された指標を示す情報と、前記検査条件情報と、を含む検査結果情報が格納される検査結果格納部と、を有する。
【発明の効果】
【００１０】
網膜の視力を簡便に測定することができる。
【図面の簡単な説明】
【００１１】
【図１】第一の実施形態における視力検査の概要を説明する図である。
【図２】第一の実施形態の視力検査装置のハードウェア構成を説明する図である。
【図３】第一の実施形態の視力検査装置のレーザ照射部について説明する図である。
【図４】視力検査装置の投影ミラー近傍を拡大した図である。
【図５】走査ミラーの振動を説明する図である。
【図６】第一の実施形態の視力検査装置の機能を説明する図である。
【図７】第一の実施形態の検査条件情報の一例を示す図である。
【図８】第一の実施形態の検査結果情報の一例を示す第一の図である。
【図９】第一の実施形態の検査用画像の一例を示す第一の図である。
【図１０】第一の実施形態の検査用画像の例を示す第二の図である。
【図１１】第一の実施形態の検査用画像の例を示す第三の図である。
【図１２】第一の実施形態の視力検査装置の動作を説明するフローチャートである。
【図１３】被験者の見え方の一例を示す図である。
【図１４】第一の実施形態の検査結果情報の他の例を示す図である。
【図１５】被験者が視認できる領域に検査用画像を投影した場合の被験者の見え方の例を示す図である。
【図１６】第二の実施形態の検査処理部の機能を説明する図である。
【図１７】第二の実施形態の検査条件情報の一例を示す図である。
【図１８】第二の実施形態の視力検査装置の動作を説明するフローチャートである。
【図１９】第三の実施形態の視力検査システムを説明する図である。
【図２０】端末装置のハードウェア構成の一例を説明する図である。
【図２１】第三の実施形態の視力検査システムのシステム構成を説明する図である。
【図２２】検査結果情報の表示例を示す図である。
【図２３】第四の実施形態の視力検査システムのシステム構成を説明する図である。
【図２４】第五の実施形態の視力検査システムのシステム構成を説明する図である。
【発明を実施するための形態】
【００１２】
（第一の実施形態）
以下に図面を参照して、第一の実施形態について説明する。図１は、第一の実施形態における視力検査の概要を説明する図である。
【００１３】
本実施形態の視力検査装置２００は、例えば、台座２０等に設置され、被験者Ｐが視力検査装置２００の中を覗くように眼球を近づけた状態で、視力検査が行われる。尚、図１の例では、被験者Ｐが椅子に着席して検眼を行う例を示しているが、これに限定されない。被験者Ｐは、起立した状態で検眼を行っても良い。
【００１４】
本実施形態の視力検査装置２００は、マクスウェル視を利用したものである。マクスウェル視とは、画像データに基づく画像用光線を一旦瞳孔の中心で収束させてから網膜上に投影することで、人の水晶体の調節機能に影響されずに人に、画像データが表す画像を視認させる方法である。
【００１５】
本実施形態の視力検査装置２００は、視力検査の際に用いられる視力検査用の画像データと、検査用画像を被験者Ｐの網膜に投影させる際の画像用光線の光量を示す値と、を含む検査条件情報として保持している。本実施形態の視力検査装置２００は、この検査条件情報に基づき画像用光線を被験者Ｐの網膜に照射することで、被験者Ｐの網膜上の所定の位置に、視標の画像を含む検査用画像（以下、検査用画像Ｔ）を投影させる。そして、本実施形態では、検査用画像において、被験者Ｐが視認できた指標を特定することで、被験者Ｐの視力を測定する。
【００１６】
ここで、本実施形態の視力について説明する。以下の説明における視力とは、被験者の屈折の影響が除去された網膜の視力を示す。網膜の視力とは、例えば、毛様体筋による水晶体の厚さの調整等によって変化する一般的な視力とはことなり、網膜の黄斑部の働きを示すものであり、被験者Ｐの最善の視力である。
【００１７】
言い換えれば、網膜の視力とは、網膜上でピントがあうように屈折の影響を矯正した場合の、矯正視力である。
【００１８】
このように、本実施形態では、網膜に直接検査用画像Ｔを投影させるため、網膜上でピントを合わせ、屈折の影響を除去するための検査用の眼鏡による調整が不要となり、簡便に網膜の視力を測定することができる。
【００１９】
さらに、本実施形態の視力検査装置２００は、測定した被験者Ｐの視力を、検査結果情報として保持する。また、視力検査装置２００は、検査結果情報を、例えば、医療機関等に設置された端末装置等に送信する。
【００２０】
本実施形態では、このように、被験者Ｐの網膜の視力を測定した結果である検査結果情報を医療機関へ渡すことで、被験者Ｐは、検査結果情報に基づき、医療機関に在籍する医師等による遠隔による診察を受けることができる。
【００２１】
つまり、本実施形態によれば、例えば、定期的に網膜の視力を測定して測定結果を医師に提示することができるため、医師による、白内障等の疾患によって水晶体を人工レンズに交換する処置等を受けた被験者の視力の回復の程度等の予測を支援できる。
【００２２】
また、本実施形態の視力検査装置２００は、従来の視力検査で必要とされる設備が不要であるため、医療機関以外にも、例えば、スポーツ施設や、ショッピングセンター、娯楽施設、学校、企業等、あらゆる施設に配置することができる。したがって、本実施形態によれば、簡単に被験者Ｐの視力を測定し、医師に検査結果情報を提供することができ、被験者Ｐの眼の健康の管理を支援することができる。
【００２３】
次に、図２を参照して、本実施形態の視力検査装置２００のハードウェア構成について説明する。図２は、第一の実施形態の視力検査装置のハードウェア構成を説明する図である。
【００２４】
本実施形態の視力検査装置２００は、通信部２０、制御部３０、記憶部４０、レーザ出力制御部（光線出力制御部）５０、レーザ照射部６０、入力部７０、出力部８０を有する。
【００２５】
通信部２０は、視力検査装置２００と、外部装置との通信を行うための通信装置である。具体的には、例えば、通信部２０は、ネットワーク等を介して医療機関に設けられた端末装置１と通信を行う。尚、通信部２０による通信の方式は、視力検査装置２００と外部装置とが通信を行うことができれば、どのような方式であっても良い。
【００２６】
制御部３０は、例えば、演算処理装置等であり、本実施形態の視力検査装置２００の動作の全体を制御する。記憶部４０は、制御部３０により実行されるプログラムや、演算により取得された各種の値等を格納する。また、記憶部４０は、視力検査に参照される検査条件情報や、入力部７０等により入力された視力検査の結果を示す検査結果情報を格納する。
【００２７】
レーザ出力制御部５０は、レーザ照射部６０を制御するための演算処理装置等であっても良く、例えば、記憶部４０に格納された検査条件情報に含まれる検査用画像データに基づくレーザ光を、検査条件情報に含まれる光量で、レーザ照射部６０から照射させる。
【００２８】
レーザ照射部６０は、検査用画像データに基づくレーザ光を、検査条件情報に含まれる光量で被験者Ｐの網膜に照射する。すなわち、レーザ照射部６０は被験者Ｐにとっての接眼部であり、このレーザ照射部６０に眼を当てる（レーザ照射部６０を覗き込む）ことによって、被験者Ｐは網膜に投影された検査用画像などを視認し、視力検査を行うことができる。このレーザ照射部６０の詳細は後述する。
【００２９】
入力部７０は、視力検査装置２００に対して各種の情報を入力するためのものである。具体的には、例えば、入力部７０は、視力検査装置２００による検査の開始を指示する情報や、被験者Ｐにより視認された視標を特定する情報等の入力に用いられる入力装置であり、例えば、上下左右方向の矢印が印字されたキーボードや、ジョイスティックなどが好適である。
【００３０】
入力部７０をこのような構成とすれば、後で説明する視力測定のための指標であるランドルト環の視認結果を入力するときに、その切れ目が右であれば右矢印のキーボードを押下したり、ジョイスティックであれば右へ倒すことによって、視認した結果を、被験者Ｐが視認した視標を示す情報（検査結果）として入力することができる。
【００３１】
また、被験者Ｐは、視力検査中はレーザ照射部６０に眼を当てているため、入力部７０を見るためにレーザ照射部６０から眼を外すことは効率が悪い。このため、入力部７０をキーボードとすれば、上下左右を示す操作部を配置することができ、好ましい。さらに、キーボードに突起等を設けることによって、キーボードを見なくても入力できるようにすると、尚好ましい。さらに、入力部７０をジョイスティックとすれば、なお好適である。
【００３２】
出力部８０は、視力検査装置２００から各種の情報を出力するためのものである。具体的には、例えば、出力部８０は、検査用画像に基づく被験者Ｐによる視力検査の結果を入力させる入力画面等を表示させるためのディスプレイであっても良い。また、出力部８０は、記憶部４０に格納された視力検査情報を、記録媒体等に書き出すためのものであっても良い。
【００３３】
尚、図２では、通信部２０、制御部３０、記憶部４０、レーザ出力制御部５０、レーザ照射部６０、入力部７０、出力部８０が視力検査装置２００に設けられるものとしたが、これに限定されない。例えば、通信部２０、制御部３０、記憶部４０、入力部７０、出力部８０等は、視力検査装置２００と接続され、視力検査装置２００を制御する制御用端末等に設けられていても良い。この場合、視力検査装置２００には、少なくとも、レーザ出力制御部５０、レーザ照射部６０が設けられていれば良い。
【００３４】
尚、本実施形態では、視力検査装置２００と、ネットワーク等を介して医療機関に設けられた端末装置１とで視力検査システムを構成しても良い。この場合、視力検査装置２００は、端末装置１に検査結果情報を送信し、端末装置１は、検査結果情報を端末装置１のディスプレイに表示させる。
【００３５】
以下に、図３乃至図５を参照して、視力検査装置２００のレーザ照射部６０について説明する。
【００３６】
図３は、第一の実施形態の視力検査装置のレーザ照射部について説明する図である。
【００３７】
本実施形態のレーザ照射部６０は、投影部１１０と、横フレーム１５０と、前フレーム１５１と、を有する。投影部１１０は、光源１１１、走査ミラー１１２、反射ミラー１１５及び投影ミラー１１６を有する。
【００３８】
光源１１１は、横フレーム１５０に配置されている。光源１１１は、レーザ出力制御部５０の指示の下、例えば単一又は複数の波長の光線Ｌを出射する。この光線Ｌは、ユーザの眼球１６０の網膜１６１に画像を投影するための画像用光線である。以下の説明では、光線Ｌを画像用光線と呼ぶ。
【００３９】
光源１１１は、例えば赤色レーザ光（波長：６１０ｎｍ〜６６０ｎｍ程度）、緑色レーザ光（波長：５１５ｎｍ〜５４０ｎｍ程度）、及び青色レーザ光（波長：４４０ｎｍ〜４８０ｎｍ程度）を出射する。赤色、緑色、及び青色レーザ光を出射する。本実施形態の光源１１１は、光源１１１として、例えばＲＧＢ（赤・緑・青）それぞれのレーザダイオードチップと３色合成デバイスとマイクロコリメートレンズと、が集積された光源等により実現される。
【００４０】
尚、図３では、投影ミラー１１６に入射した光線の投影ミラー１１６内の進行方向をＸ方向、投影ミラー１１６におけるＸ方向に直交する方向をＹ方向とする。
【００４１】
走査ミラー１１２は、例えばＭＥＭＳミラーであり、光源１１１から出射されたレーザ光（光線）Ｌを水平方向及び垂直方向の２次元方向に走査する。また、走査ミラー１１２は、光源１１１から出射された光線Ｌを２次元に走査して、ユーザの眼球１６０の網膜１６１に画像を投影させるための投影光とする。
【００４２】
反射ミラー１１５は、走査ミラー１１２で走査された光線Ｌを前フレーム１５１に向かって反射させる。
【００４３】
前フレーム１５１の利用者の眼球１６０側の面には、自由曲面を有する投影ミラー１１６が設けられている。投影ミラー１１６は、走査ミラー１１２で走査され、反射ミラー１１５で反射された光線Ｌを眼球１６０の網膜１６１に照射することにより、網膜１６１に画像を投影する。つまり、利用者は、網膜１６１に投射されたレーザ光の残像効果によって、画像を認識することができる。投影ミラー１１６は、走査ミラー１１２で走査された光線Ｌの収束位置が、眼球１６０の瞳孔１６２となるように設計されている。光線Ｌは投影ミラー１１６にほぼ真横（すなわちほぼ−Ｘ方向）から入射する。
【００４４】
尚、本実施形態では、投影ミラー１１６の自由曲面の曲率を大きくすれば、反射ミラー１１５から瞳孔１６２の収束位置までの距離を短くすることができ、視力検査装置２００を小型にすることができる。
【００４５】
本実施形態のレーザ出力制御部５０は、ＣＰＵ（CentralProcessing Unit）等のプロセッサ並びにＲＡＭ（Random Access Memory）及びＲＯＭ（Read Only Memory）等により実現される。
【００４６】
プロセッサ及びメモリは、例えば走査ミラー１１２（ＭＥＭＳミラー）が実装された基板と同じ基板に実装されていても良い。
【００４７】
本実施形態のレーザ出力制御部５０は、入力された画像データに基づく画像用光線を光源１１１から出射させる。また、本実施形態のレーザ出力制御部５０は、走査ミラー１１２（ＭＥＭＳミラー）を振動させて、光源１１１から出射された画像用光線を走査し、網膜１６１に画像を投影させる。
【００４８】
尚、図３の例では、片眼に対応するレーザ照射部６０について示しているが、視力検査装置２００は、両眼に対応するレーザ照射部６０を有している。これらの２つのレーザ照射部６０は、同様の構成である。
【００４９】
次に、図４及び図５により、視力検査装置２００の投影部１１０による画像の投影について説明する。図４は、視力検査装置の投影ミラー近傍を拡大した図である。
【００５０】
図４及び図５のように、走査ミラー１１２で走査された画像用光線は、ミラー１１５によって、前フレーム１５１に向かって反射される。本実施形態では、投影部１１０が、前フレーム１５１の眼球１６０側の面に配置されているため、走査ミラー１１２で走査された画像用光線は、投射部（投射ミラー）１１６に入射する。
【００５１】
投射部１１６は、画像用光線が入射される領域１１６ａでは、自由曲面又は自由曲面と回折面の合成構造をしたハーフミラーとなっている。これにより、投射部１１６に入射された画像用光線は、眼球１６０の瞳孔１６２近傍で収束した後に網膜１６１に投射される。
【００５２】
よって、被験者は、画像用光線で形成される画像を認識することができる。また、本実施形態では、レーザ照射部６０をこのような構成とすることで、第三の実施の形態で説明する、ヘッドマントディスプレイ形のような形状を小さくする必要があるフレームにも容易に設置できるようになる。
【００５３】
図５は、走査ミラーの振動を説明する図である。尚、図５では、走査ミラー１１２が点Ａから点Ｂまで振動した場合を示している。
【００５４】
走査ミラー１１２によって画像用光線を走査して網膜１６１に画像を投影する方法として、画像を投影する領域の左上から右下に向かって光を高速に走査し、画像を表示させる方法（例えばラスタースキャン）がある。
【００５５】
本実施形態では、図５に示すように、走査ミラー１１２は、画像用光線（光線Ｌ）を走査するために、網膜１６１に画像が投影される領域Ｈ（図５の破線範囲）よりも大きく、水平方向（第１方向）と垂直方向（第１方向に交差する第２方向）と、に振動する。図５では、走査ミラー１１２の振動を符号６１で示している。
【００５６】
走査ミラー１１２が大きく振れた箇所で画像用光線を走査して網膜１６１に画像を投影する場合、画像の歪みが大きくなる。したがって、本実施形態では、画像用光線は、走査ミラー１１２の振れが小さい箇所で走査される。
【００５７】
尚、図５では、画像用光線は矩形状に走査される場合を例に示しているが、この場合に限られず、台形状に走査される場合など、その他の場合でもよい。
【００５８】
また、本実施形態では、画像が投影される領域Ｈは、被験者の視野を覆う大きさであることが好ましい。被験者の視野を覆う大きさとは、例えば、網膜に投影された画像が、片目では鼻側および上側で約６０度、下側に約７０度、耳側に約９０〜１００度を覆う大きさである。
【００５９】
本実施形態では、画像（検査用画像）が投影される領域を、被験者の視野を覆う大きさとすれば、視野の欠損や網膜や視神経等に異常がない被験者に対しても、適切な視力検査を行うことができる。
【００６０】
尚、予め視野の一部に欠損があることが分かっている被験者等に対しては、画像が投影される領域Ｈは、上述した、「片目では鼻側および上側で約６０度、下側に約７０度、耳側に約９０〜１００度の覆われるような大きさ」よりも小さくても良い。
【００６１】
次に、図６を参照して、本実施形態の視力検査装置２００の機能について説明する。図６は、第一の実施形態の視力検査装置の機能を説明する図である。
【００６２】
本実施形態の視力検査装置２００は、検査処理部２１０、出力処理部２２０、検査結果格納部２３０を有する。尚、上述した各部は、制御部３０が記憶部４０に格納されたプログラムを読み出して実行することにより実現される。
【００６３】
また、本実施形態の検査処理部２１０は、検査条件情報を保持しており、検査条件情報を出力処理部２２０へ出力する。検査結果情報は、検査用画像データと、光源１１１から出射されるレーザ光の光量を示す出力値と、を含む。また、検査処理部２１０は、被験者Ｐ又は検査補助者の検査結果の入力を受けて、検査結果を示す検査結果情報を検査結果格納部２３０に格納する。検査処理部２１０と、検査条件情報と、検査結果情報の詳細は後述する。
【００６４】
出力処理部２２０は、検査処理部２１０に保持された検査条件情報をレーザ出力制御部５０へ出力する。
【００６５】
また、本実施形態の出力処理部２２０は、検査結果格納部２３０に格納された検査結果情報を、通信部２０を介して外部の端末装置１へ出力する。言い換えれば、出力処理部２２０は、通信部２０により、検査結果情報を医療機関等に設置された端末装置１へ送信させる。
【００６６】
検査結果格納部２３０は、検査結果情報２３１を格納する。
【００６７】
本実施形態の検査処理部２１０は、検査条件保持部２１１、表示制御部２１２、入力受付部２１３、検査結果格納制御部２１４を有する。
【００６８】
検査条件保持部２１１は、検査条件情報２１５を保持する。検査条件情報２１５は、視力検査装置２００に送信されて、視力検査装置２００における視力検査の条件として、視力検査装置２００に設定（保持）される。本実施形態の検査条件保持部２１１は、検査の開始指示を受け付けると、実施される検査に応じた画像データを出力処理部２２０と、表示制御部２１２に渡す。
【００６９】
表示制御部２１２は、検査用画像データを受け付けると、出力部８０（ディスプレイ）に、検査用画像を含む検査結果の入力画面を表示させる。尚、入力画面には、検査用画像Ｔが含まれていても良い。
【００７０】
入力受付部２１３は、入力部７０において行われる各種の操作に応じた入力を受付ける。具体的には、入力受付部２１３は、検査の開始指示や、実施する検査の選択や、検査結果の入力等を受け付ける。
【００７１】
検査結果格納制御部２１４は、入力受付部２１３が受け付けた検査結果を、被験者の情報及び検査結果の入力を受け付けた日時を示す情報と対応付けた検査結果情報２３１として、検査結果格納部２３０に格納させる。
【００７２】
次に、図７を参照して、本実施形態の検査条件情報２１５について説明する。図７は、第一の実施形態の検査条件情報の一例を示す図である。
【００７３】
本実施形態の検査条件情報２１５は、情報の項目として、検査用画像データと、出力値と、Ｒ出力値、Ｇ出力値、Ｂ出力値を有し、これらが対応付けられている。
【００７４】
項目「検査用画像データ」の値は、視力検査を行う際に、被験者Ｐの網膜に投影される検査用画像Ｔを示す検査用画像データを示す。言い換えれば、項目「検査用画像データ」の値は、視力検査を行うための指標の画像を含む画像データである。
【００７５】
項目「出力値」の値は、視力検査装置２００において、検査用画像データを被験者Ｐの網膜に投影する際に、光源１１１から出射される赤色レーザ光と、緑色レーザ光と、青色レーザ光のそれぞれの光量を合算した値である。
【００７６】
項目「Ｒ出力値」の値は、光源１１１から出射される赤色レーザ光の光量の値であり、項目「Ｇ出力値」の値は、光源１１１から出射される緑色レーザ光の光量の値であり、項目「Ｂ出力値」の値は、光源１１１から出射される青色レーザ光の光量の値である。尚、光量の値の単位は、μＷである。また、検査条件情報に含まれる光量の値は、ＩＥＣ６０８２５−１のＣｌａｓｓＩに適合する値である。
【００７７】
つまり、本実施形態の検査条件情報には、視力検査を行うための検査用画像データと、検査用画像データを投影する際の光源１１１の光量の値とを対応づけた値である。本実施形態では、視力検査装置２００が、検査用画像データと光量の値とを対応付けた検査条件情報を保持することで、視力検査を行う際に、一定の明るさで被験者Ｐの網膜に検査用画像Ｔを投影させることができる。したがって、本実施形態によれば、視力検査を行う際の周囲の明るさに依存しない検査結果情報を取得することができる。
【００７８】
尚、検査条件情報に含まれる情報の項目は、図７に示す項目に限定されない。検査条件情報は、図７に示す項目以外の項目を有していても良い。例えば、検査条件情報は、検査条件情報を保持している視力検査装置２００を用いて視力検査を行う被験者Ｐを特定する情報等を含んでいても良い。
【００７９】
また、検査条件情報は、Ｒ出力値、Ｇ出力値、Ｂ出力値が含まれていれば良く、３色のレーザ光の光量の合算を示す出力値は、含まれなくても良い。
【００８０】
次に、図８を参照して、本実施形態の検査結果情報２３１について説明する。図８は、第一の実施形態の検査結果情報の一例を示す第一の図である。
【００８１】
本実施形態の検査結果情報は、被験者毎に設けられる情報であり、情報の項目として、検査日、入力時刻、検査用画像データ、出力値、Ｒ出力値、Ｇ出力値、Ｂ出力値、視力を有する。
【００８２】
項目「検査日」の値は、視力検査装置２００に視力検査の結果が入力された日を示す。言い換えれば、項目「検査日」の値は、視力検査装置２００を用いた視力検査が行われた日を示す。項目「入力時刻」の値は、視力検査装置２００に視力検査の結果が入力された時刻を示す。言い換えれば、項目「検査日」の値は、視力検査装置２００を用いた視力検査が行われた時刻を示す。
【００８３】
項目「検査用画像データ」の値は、視力検査装置２００に保持された検査用画像データである。
【００８４】
項目「視力」の値は、視力検査の結果として得られる被験者Ｐの左右の眼の視力を示す。言い換えれば、本実施形態の項目「視力」の値は、被験者Ｐの網膜に投影された検査用画像において、被験者Ｐに視認された指標を示す情報と、被験者Ｐに選択された指標を示す情報との両方又は何れか一方を示す情報である。
【００８５】
ここで、本実施形態の検査結果情報２３１に含まれる項目「検査用画像データ」、「出力値」、「Ｒ出力値」、「Ｇ出力値」、「Ｂ出力値」は、検査条件情報２１５に含まれる項目と同様である。つまり、本実施形態の検査結果情報２３１には、被験者Ｐが受けた検査の検査条件情報が含まれるものとなる。
【００８６】
次に、図９及び図１１を参照して、検査用画像について説明する。図９は、第一の実施形態の検査用画像の一例を示す図である。
【００８７】
本実施形態の検査用画像Ｔは、図９に示すように、縦方向と横方向に複数のランドルト環が配置された画像である。尚、本実施形態の検査用画像Ｔは、ランドルト環の大きさが異なる複数枚の画像を含む。
【００８８】
また、例えば、視力は、検査用画像Ｔにおいて、切れ目の位置を視認できるランドルト環が大きいほど低く、切れ目の位置を視認できるランドルト環が大きいほど高い。
【００８９】
尚、本実施形態の視力検査装置２００による視力検査では、被験者の網膜に投影された検査用画像Ｔのランドルト環を被験者が視認し、視認したランドルト環の選択や、その視認できた切れ目の方向を入力部で選択して、入力することで、視力検査とその結果の入力を行うことができる。
【００９０】
また、視力検査装置２００の表示部等に、検査用画像に基づく被験者Ｐによる視力検査の結果を入力させる入力画面を表示させ、被験者Ｐが視認した視標を入力させても良い。
【００９１】
また、本実施形態では、被験者Ｐが、網膜に投影された検査用画像Ｔのランドルト環の切れ目の位置を検査補助者等に伝えても良い。この場合、情報処理装置２００は、出力部８０としての表示部を有しているため、検査用画像Ｔと同じ検査用画像や視力測定に必要な検査条件などの情報を表示部に表示させる。そして表示された画面において、検査補助者が、検査用画像Ｔのランドルト環のうち、被験者Ｐが切れ目の位置を正しく視認できたランドルト環を選択することで、検査結果を視力検査装置２００に入力しても良い。
【００９２】
図１０は、第一の実施形態の検査用画像の例を示す第二の図である。
【００９３】
図１０の例では、ランドルト環が表示される位置が異なる検査用画像を示している。図１０に示す検査用画像Ｔ１１では、ランドルト環は左上に１つ配置されており、検査用画像Ｔ１２では、ランドルト環は左下に１つ配置されている。また、図１０に示す検査用画像Ｔ１３では、ランドルト環は右上に１つ配置されている。
【００９４】
本実施形態では、図１０に示すように、ランドルト環が配置された位置が異なる検査用画像を順次、被験者の網膜に投影することで、視力に加えて、視野の欠損の有無まで検査することができる。
【００９５】
尚、図１０では、１つの検査用画像に対して１つのランドルト環が配置されるものとしたが、これに限定されない。１つの検査用画像に対して複数のランドルト環が配置されていても良い。
【００９６】
また、図１０の例では、ランドルト環が配置された位置が異なる視力の検査用画像を順次、被験者の網膜に投影するものとしたが、これに限定されない。例えば、検査用画像は、ランドルト環の位置が移動していく動画として、被験者の網膜に投影されても良い。
【００９７】
このような検査用画像を用いることで、本実施形態では、被験者の視野と視力とを対応付けることができる。言い換えれば、本実施形態では、被験者の網膜における視力の分布を把握することができる。
【００９８】
図１１は、第一の実施形態の視力の検査用画像の例を示す第三の図である。本実施形態では、ランドルト環以外の画像によって視力検査を行っても良い。
【００９９】
図１１に示す検査用画像Ｔ２０は、ＥＴＤＲＳ（Early Treatment of Diabetic Retinopathy Study）チャートを含んでいる。
【０１００】
ＥＴＤＲＳチャートでは、列同士の視標の大きさの差が、０．１ｌｏｇＭＡＲ単位であり、１列に５つの視標が配置される。また、視標となる文字は、ＳｌｏａｎフォントのＳｌｏａｎ  Ｌｅｔｔｅｒ  ｓｅｔ（Ｃ，Ｄ，Ｈ，Ｋ，Ｎ，Ｏ，Ｒ，Ｓ，Ｖ，Ｚの１０文字)である。また、ＥＴＤＲＳチャートでは、それぞれの視標の間隔は視標１つ分であり、結果は列ではなく、視標によって数値化される。
【０１０１】
このように、本実施形態では、ランドルト環以外の視標によって視力検査が行われても良い。ランドルト環以外の視標とは、ＥＴＤＲＳチャート以外には、例えば、タンブリングＥチャート等である。
【０１０２】
次に、図１２を参照して本実施形態の視力検査装置２００の動作について説明する。図１２は、第一の実施形態の視力検査装置の動作を説明するフローチャートである。
【０１０３】
本実施形態の視力検査装置２００は、検査処理部２１０において、入力受付部２１３が視力検査の開始指示を受け付けたか否かを判定する（ステップＳ１２０１）。ステップＳ１２０１において、開始指示を受け付けていない場合、検査処理部２１０は、開始指示を受け付けるまで待機する。
【０１０４】
ステップＳ１２０１において、開始指示を受け付けると、検査処理部２１０は、検査条件保持部２１１が保持している検査条件情報を読み出し、出力処理部２２０と表示制御部２１２へ検査条件情報を渡す（ステップＳ１２０２）。
【０１０５】
出力処理部２２０は、検査条件情報をレーザ出力制御部５０へ出力し、レーザ出力制御部５０により、検査条件情報に含まれる検査用画像データと、出力値と基づき、検査用画像を被験者Ｐの網膜に投影させる（ステップＳ１２０３）。
【０１０６】
レーザ出力制御部５０は、検査条件情報を取得すると、投影部１１０により、検査用画像データによる画像用光線を被験者の網膜へ走査し、検査用画像Ｔを被験者に視認させる。また、このとき、レーザ出力制御部５０は、検査条件情報に含まれる出力値にしたがって、出力値が示す光量のレーザ光を光源１１１から出射させる。
【０１０７】
より具体的には、視力検査装置２００は、光源１１１の赤色レーザ光の光量を、検査条件情報に含まれるＲ出力値とし、光源１１１の緑色レーザ光の光量を、検査条件情報に含まれるＧ出力値とし、光源１１１の青色レーザ光の光量を、検査条件情報に含まれるＢ出力値として、レーザ光を出射する。
【０１０８】
表示制御部２１２は、検査用画像データに基づき、検査用画像Ｔを含む検査結果の入力画面をディスプレイに表示させる（ステップＳ１２０４）。
【０１０９】
続いて、検査処理部２１０は、入力受付部２１３により、入力部７０又は入力画面において、検査結果の入力を受け付けたか否かを判定する（ステップＳ１２０５）。ステップＳ１２０５において、検査結果の入力を受け付けない場合、入力受付部２１３は、後述するステップＳ１２０８へ進む。
【０１１０】
ステップＳ１２０５において、検査結果の入力を受け付けると、入力受付部２１３は、検査結果の保存指示を受け付けたか否かを判定する（ステップＳ１２０６）。ステップＳ１２０６において、保存指示を受け付けない場合、入力受付部２１３は、後述するステップＳ１２１０へ進む。
【０１１１】
ステップＳ１２０６において、保存指示の入力を受け付けると、検査処理部２１０は、検査結果格納制御部２１４により、入力された検査結果を含む検査結果情報２３１を検査結果格納部２３０に格納し（ステップＳ１２０７）、処理を終了する。
【０１１２】
ステップＳ１２０５において、検査結果の入力を受け付けない場合、入力受付部２１３は、所定時間が経過したか否かを判定する（ステップＳ１２０８）。ステップＳ１２０８において、所定時間が経過していない場合、入力受付部２１３は、ステップＳ１２０５へ戻る。
【０１１３】
ステップＳ１２０８において、所定時間が経過した場合、検査処理部２１０は、表示制御部２１２により、視力検査の実施が正常に行われなかった旨を表示させ（ステップＳ１２０９）、処理を終了する。
【０１１４】
このように、本実施形態によれば、視力検査装置２００において、指定された一定の値の光量によって、検査用画像Ｔを被験者対象者Ｐの網膜へ投影させることができる。したがって、本実施形態によれば、視力検査において、周囲の明るさ等といった、環境に依存しない視力を簡単に測定することができる。
【０１１５】
また、本実施形態では、検査条件情報２１５に基づき検査用画像を投影させる。このため、本実施形態では、例えば、視力検査装置２００とは別の視力検査装置２００を用いる場合等でも、検査条件情報２１５を用いて検査を行えば、同じ条件で検査用画像を被験者Ｐの網膜に投影することができる。
【０１１６】
また、本実施形態では、検査の開始指示を受け付けると、検査条件保持部２１１に保持されている検査条件情報を視力検査装置２００に出力するものとしたが、これに限定されない。
【０１１７】
例えば、視力検査装置２００において、検査の開始指示と共に被験者Ｐを識別する被験者ＩＤが入力された場合には、視力検査装置２００は、検査結果格納部２３０を参照し、入力された被験者ＩＤを含む検査結果情報から、検査条件情報を抽出してレーザ出力制御部５０に出力しても良い。
【０１１８】
本実施形態では、このようにすることで、例えば、視力検査装置２００を複数の被験者によって共有することができ、且つ、各被験者Ｐが検査を行う際には、被験者Ｐ毎の検査条件で視力を測定することができる。
【０１１９】
次に、本実施形態において、被験者Ｐの視力と共に、被験者Ｐの視野を測定しても良い。以下に、被験者Ｐの視力と視野を共に測定する方法について説明する。
【０１２０】
例えば、網膜が歪んでいる場合には、網膜に投影された画像は、網膜の歪み通りに歪んだ画像として視認される。また、例えば視野が欠損している場合には、網膜に投影された画像は、欠損した視野の部分が欠落した画像として視認される。
【０１２１】
つまり、網膜や視神経等に何らかの異常がある場合には、網膜に投影された画像がその通りに視認されない。言い換えれば、見え方に何らかの異常がある場合には、網膜に投影された画像を視認した際に、視認された画像にその異常が反映される。
【０１２２】
本実施形態では、この点に着目し、被験者の網膜に投影された検査用画像において、被験者によって視認された領域と、視認されなかった領域とを特定することで、被験者の視野を特定する。
【０１２３】
図１３は、被験者の見え方の一例を示す図である。図１３では、視界１３１において、欠損領域１３２が存在する場合の見え方の例を示している。
【０１２４】
例えば、被験者Ｐの視界１３１に、欠損領域１３２が存在する場合、欠損領域１３２と対応する位置の領域に描画された視標は、被験者Ｐには視認されない。
【０１２５】
そこで、本実施形態では、個々のランドルト環と、検査用画像における各ランドルト環の位置情報とを対応付けた検査用画像を用いて視力検査を行う。
【０１２６】
尚、被験者Ｐの視界１３１に欠損領域１３２が存在するか否かは、例えば、図１０に示す検査用画像を用いた視野の検査によって判断されても良い。具体的には、例えば、図１に示す検査用画像を用いて視力検査を行った場合には、被験者Ｐの視力と共に、検査用画像において、被験者Ｐが視認できたランドルト環の位置を示す位置情報を検査結果情報として格納しても良い。
【０１２７】
図１４は、第一の実施形態の検査結果情報の他の例を示す図である。図１４に示す検査結果情報２３１Ａでは、項目「視認できたランドルト環」の値は、検査用画像において、被験者Ｐによって切れ目が視認されたランドルト環が表示されていた領域を示す座標の情報である。また、項目「視認できなかったランドルト環」の値は、検査用画像において、被験者Ｐによって切れ目が視認されなかったランドルト環が表示されていた領域を示す座標の情報である。尚、ここでの座標は、ランドルト環の中心点の座標であっても良いし、ランドルト環が表示されている矩形（領域）を特定する座標等であっても良い。
【０１２８】
図１４の例では、座標（ｘ３、ｙ３）から座標（ｘ４、ｙ４）までに中心点が含まれるランドルト環は、被験者Ｐによって切れ目が視認されたことがわかる。同様に、図１４の例では、座標（ｘ１、ｙ１）から座標（ｘ２、ｙ２）までに中心点が含まれるランドルト環は、被験者Ｐによって切れ目が視認されなかったことがわかる。
【０１２９】
尚、本実施形態において、「ランドルト環の切れ目の視認」とは、ランドルト環を視認した上で、切れ目の方向が正しく視認された場合と、ランドルト環は視認できたが、切れ目の方向が正しく視認されなかった場合と、の両方を含んでも良い。
【０１３０】
また、本実施形態の視力検査装置２００では、検査結果情報２３１Ａのように、検査結果情報に、被験者Ｐの視野を示す情報が含まれる場合には、次に被験者Ｐが視力検査を行う場合には、被験者Ｐの網膜において、被験者Ｐが視認できる領域内に検査用画像Ｔを投影させても良い。
【０１３１】
図１５は、被験者が視認できる領域に検査用画像を投影した場合の被験者の見え方の例を示す図である。図１５（Ａ）、（Ｂ）は、図１３に示す見え方の被験者Ｐに対して、被験者Ｐの欠損領域１３２以外の領域１３３に検査用画像を投影した場合の被験者Ｐの見え方を示している。言い換えれば、図１５（Ａ）、（Ｂ）では、被験者Ｐの網膜において、映像を視認することができる領域１３３に検査用画像を投影した場合の被験者Ｐの見え方の例を示している。
【０１３２】
尚、図１５（Ｂ）で、検査用画像に含まれる視標は１つであり、この検査用画像は、１つの視標の大きさを変化させていくような動画等であっても良い。
【０１３３】
また、本実施形態で、例えば、１つの視標の位置を移動させていくような動画を検査用画像としても良い。本実施形態では、検査用画像における視標の画像の位置を移動させることで、網膜における視力の分布を計ることができる。
【０１３４】
尚、本実施形態では、検査用画像を投影する位置を、被験者Ｐが視認できる領域としたが、これに限定されない。本実施形態では、例えば、被験者Ｐの網膜において、検査用画像を投影させる位置を示す位置情報が、視力検査装置２００に予め設定されていても良い。
【０１３５】
この位置情報は、例えば、視力検査装置２００以外の情報処理装置等において、検査用画像を投影させる位置を設定する設定画面を表示させ、設定画面において指定された領域を示す位置情報であっても良い。視力検査装置２００は、情報処理装置からこの位置情報を取得して、この位置情報に基づき、検査用画像を投影させるようにしても良い。つまり、本実施形態の情報処理装置２００は、被験者Ｐの網膜における任意の位置に検査用画像を投影させることができる。
【０１３６】
ここで、位置情報は、視力検査装置２００が、外部の情報処理装置と通信を行って、外部の情報処理装置において取得された位置情報を受信しても良い。また、位置情報は、例えば、記録媒体等に格納されており、視力検査装置２００がこの記録媒体から位置情報を読み出すことで、位置情報を取得しても良い。
【０１３７】
以上のように、本実施形態によれば、屈折の屈折にかかわらず眼底に焦点が合うため、視力視標を投影することで、検査環境に依存せずに、網膜にピントが合った矯正視力を測定できる。
【０１３８】
また、例えば、中心固視をしていない黄斑変性患者の場合には、背景の明るさによってものを見る中心（固視領域）が異なることがわかっている。本実施形態によれば、眼内に照射する光量を一定に出来るため、検査環境の明るさによらずに、安定した視力測定ができるため、黄斑変性患者であっても固視の移動を生じさせずに網膜の視力を測定できる。したがって、例えば、白内障や黄斑変性などの手術の前後に、本実施形態を適用した視力の測定を行えば、手術結果の評価を正しく行うことができる。
【０１３９】
（第二の実施形態）
以下に図面を参照して第二の実施形態について説明する。第二の実施形態は、検査条件情報を複数有する点が第一の実施形態と相違する。以下の第二の実施形態の説明では、第一の実施形態の相違点についてのみ説明し、第一の実施形態と同様の機能構成を有するものには、第一の実施形態の説明で用いた符号と同様の符号を付与し、その説明を省略する。
【０１４０】
図１６は、第二の実施形態の検査処理部の機能を説明する図である。
【０１４１】
また、本実施形態の検査処理部２１０Ａは、検査条件保持部２１１Ａ、表示制御部２１２、入力受付部２１３、検査結果格納制御部２１４、検査条件取得部２１６を有する。
【０１４２】
検査条件保持部２１１Ａは、検査条件情報２１５Ａを保持する。検査条件情報２１５Ａは、複数の検査用画像と、検査用画像毎の光源の出力値とが対応付けられた情報である。検査条件情報２１５Ａの詳細は後述する。
【０１４３】
本実施形態の検査条件取得部２１６は、表示制御部２１２によって表示された検査用画像の一覧において、選択された検査用画像を含む検査条件情報を取得する。
【０１４４】
図１７は、第二の実施形態の検査条件情報の一例を示す図である。本実施形態の検査条件情報２１５Ａは、情報の項目として、検査用画像データと、出力値と、Ｒ出力値、Ｇ出力値、Ｂ出力値を有し、これらが対応付けられている。また、本実施形態の検査条件情報２１５Ａには、複数の検査用画像が含まれる。
【０１４５】
次に、図１８を参照して、本実施形態の検査処理部２１０Ａの処理について説明する。図１８は、第二の実施形態の視力検査装置の動作を説明するフローチャートである。
【０１４６】
検査処理部２１０Ａにおいて、入力受付部２１３が視力検査の開始指示を受け付けたか否かを判定する（ステップＳ１８０１）。ステップＳ１８０１において、開始指示を受け付けていない場合、検査処理部２１０はＡ、開始指示を受け付けるまで待機する。
【０１４７】
ステップＳ１８０１において、開始指示を受け付けると、検査処理部２１０Ａは、表示制御部２１２により、検査条件保持部２１１Ａに保持された検査条件情報の一覧を表示させる（ステップＳ１８０２）。
【０１４８】
尚、ここでは、表示制御部２１２は、例えば、検査条件情報の一覧として、検査用画像のサムネイルの一覧等を表示させても良いし、検査条件情報のファイル名の一覧を表示させても良い。検査条件情報の一覧は、検査条件情報を特定できる情報の一覧であれば良い。
【０１４９】
続いて、検査処理部２１０Ａは、入力受付部２１３が、検査条件情報の選択を受け付けたか否かを判定する（ステップＳ１８０３）。ステップＳ１８０３において、選択を受け付けない場合、検査処理部２１０Ａは、選択を受け付けるまで待機する。
【０１５０】
ステップＳ１８０３において、選択を受け付けた場合、検査処理部２１０Ａは、検査条件取得部２１６により、選択された検査条件情報を読み出し、表示制御部２１２と、出力処理部２２０とに渡す（ステップＳ１８０４）。
【０１５１】
ステップＳ１８０５からステップＳ１８１２までの処理は、図１２のステップＳ１２０３からステップＳ１２１０までの処理と同様であるから、説明を省略する。
【０１５２】
このように、本実施形態では、検査用画像を複数有しており、検査用画像毎に、出力値が設定されている。
【０１５３】
したがって、被験者Ｐは、任意の検査用画像に基づき、視力の検査を行うことができる。ここで、複数の検査用画像には、視野の測定を行うことができる検査用画像も含まれて良い。また、検査条件情報２１５Ａは、例えば、同じ検査用画像に対して、異なる出力値が対応付けられた検査条件情報が含まれていても良い。また、検査条件情報２１５Ａでは、検査用画像毎に、出力値が異なっていても良い。
【０１５４】
本実施形態では、このように、複数のパターンの検査条件情報を有することで、被験者Ｐが所望する環境や、視覚状態に応じた視力を測定することができる。例えば、明るさによる視力の変化度合いを測定したい場合には、出力値の異なる検査条件情報を選択すれば良い。
【０１５５】
また、例えば、被験者Ｐが幼児等である場合には、一般的な画像を視標として用いている検査用画像を含む検査条件情報を選択すれば良い。
【０１５６】
（第三の実施形態）
以下に図面を参照して、第三の実施形態について説明する。第三の実施形態では、視力検査装置を網膜走査型ヘッドマウントディスプレイとした点のみ、第一及び第二の実施形態と相違する。よって、以下の第三の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１５７】
図１９は、第三の実施形態の視力検査システムを説明する図である。本実施形態の視力検査システム１００は、視力検査装置２００Ａと、端末装置３００とを有する。
【０１５８】
本実施形態の視力検査装置２００Ａは、マクスウェル視を利用した網膜投影型ヘッドマウントディスプレイである。
【０１５９】
本実施形態の視力検査装置２００Ａは、視力検査において、端末装置３００から送信された検査用画像データに基づく画像用光線を被験者Ｐの網膜に照射することで、被験者Ｐの網膜上の所定の位置に、視標の画像を含む検査用画像Ｔを投影させる。
【０１６０】
本実施形態の端末装置３００は、検査用画像Ｔを表す検査用画像データを視力検査装置２００Ａへ送信する。また、本実施形態の端末装置３００は、検査用画像Ｔを含む画面をディスプレイ３０８に表示させ、被験者Ｐによる視力検査の結果を入力させる。
【０１６１】
本実施形態の視力検査システム１００による視力検査では、例えば、被験者Ｐが、視力検査装置２００Ａを装着した状態で、網膜に投影された検査用画像Ｔのランドルト環の切れ目の位置を検査補助者に伝えても良い。そして、検査補助者は、検査用画像Ｔのランドルト環のうち、被験者Ｐが切れ目の位置を正しく視認できたランドルト環を、ディスプレイ３０８において選択することで、検査結果を端末装置３００に入力しても良い。
【０１６２】
尚、図１９の例では、視力検査装置２００Ａのフレームは、一般的な眼鏡のような形状としたが、これに限定されない。例えば被験者Ｐの両眼を覆うゴーグルのような形状であっても良い。
【０１６３】
また、被験者Ｐが端末装置３００において視力検査の結果を入力する場合には、第一の実施形態で説明した入力部７０にとしてのキーボードやジョイスティックを、視力検査装置２００Ａのつる部等のフレームに設置するか、又は入力部７０を外部に接続できるような接続部を備えることによって、入力部７０を操作して被験者Ｐが自ら検査結果を入力することも可能となる。また、被験者Ｐは、装着した視力検査装置２００Ａを外してから入力を行っても良いし、視力検査を行っていないほうの目で端末装置３００のディスプレイ３０８に表示された検査用画像Ｔを見て、入力を行っても良い。
【０１６４】
また、視力検査装置２００Ａを装着した状態で、端末装置３００に検査結果を入力することが困難である場合には、端末装置３００への入力を検査補助者に依頼しても良い。この場合には、例えば、被験者Ｐは、視認できた文字を読み上げる等して、文字が読めた領域を検査補助者に伝えれば良い。さらに、端末装置３００が音声入力部（マイク等）と、音声認識機能を有する場合には、被験者Ｐが視認できた文字を読み上げることで、被験者Ｐの音声により直接検査結果を入力することができる。
【０１６５】
尚、本実施形態の視力検査システム１００の視力検査装置２００Ａと端末装置３００とは、被験者Ｐによって所持されるものであっても良い。この場合、例えば、端末装置３００は、被験者Ｐの検査結果を、医療機関等に設置された端末装置１へ送信しても良い。被験者Ｐが、視力検査システム１００を有していれば、被験者Ｐは、例えば、自宅等で気軽に視力の測定を行うことができる。このため、本実施形態によれば、例えば、被験者Ｐが視力検査を行う度に、端末装置３００に保持された検査結果情報を医療機関へ送信して、検査結果情報に基づく医師の遠隔診療等を受けることができる。
【０１６６】
また、視力検査システム１００は、医療機関等に設けられていて良い。この場合には、例えば、医療機関を受診した患者に、視力検査システム１００を提供することで、例えば、診察までの待ち時間等を利用して、視力検査を行わせることができる。
【０１６７】
次に、本実施形態の端末装置３００について説明する。図２０は、端末装置のハードウェア構成の一例を説明する図である。
【０１６８】
本実施形態の端末装置３００は、それぞれバスＢで相互に接続されている表示操作装置３０１、ドライブ装置３０２、補助記憶装置３０３、メモリ装置３０４、演算処理装置３０５及びインターフェース装置３０６を含む。
【０１６９】
表示操作装置３０１は、タッチパネル等であり、情報を表示させる表示機能と、情報を入力する入力機能とを有する。インターフェース装置３０６は、ＬＡＮカード等を含み、ネットワークに接続する為に用いられる。
【０１７０】
端末装置３００において実行される視力検査プログラムは、端末装置３００を制御する各種プログラムの少なくとも一部である。視力検査プログラムは例えば記録媒体３０７の配布やネットワークからのダウンロードなどによって提供される。視力検査プログラムを記録した記録媒体３０７は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【０１７１】
また、視力検査プログラムは、視力検査プログラムを記録した記録媒体３０７がドライブ装置３０２にセットされるとは記録媒体３０７からドライブ装置３０２を介して補助記憶装置３０３にインストールされる。ネットワークからダウンロードされた視力検査プログラムは、インターフェース装置３０６を介して補助記憶装置３０３にインストールされる。
【０１７２】
補助記憶装置３０３は、インストールされた視力検査プログラムを格納すると共に、必要なファイル、データ等を格納する。メモリ装置３０４は、コンピュータの起動時に補助記憶装置３０３から視力検査プログラムを読み出して格納する。そして、演算処理装置３０５はメモリ装置３０４に格納された視力検査プログラムに従って、後述するような各種処理を実現している。
【０１７３】
尚、本実施形態では、端末装置３００は、表示操作装置３０１を有するものとしたが、これに限定されない。端末装置３００は、例えばデスクトップ型やノート型のコンピュータであっても良い。その場合、端末装置３００は、表示操作装置３０１の代わりに、情報を入力するために用いられるマウスやキーボード等の入力装置と、情報を表示するディスプレイ等の出力装置を有していても良い。
【０１７４】
次に、図２１を参照し、本実施形態の視力検査システム１００について説明する。図２１は、第三の実施形態の視力検査システムのシステム構成を説明する図である。
【０１７５】
本実施形態の視力検査システム１００は、視力検査装置２００Ａと端末装置３００とを有する。視力検査システム１００において、視力検査装置２００Ａは、端末装置３００と接続されており、端末装置３００と通信を行う。
【０１７６】
尚、図２１の例では、視力検査装置２００Ａと端末装置３００とは、無線により通信を行うものとしているが、これに限定されない。視力検査装置２００Ａと端末装置３００とは、通信が可能な状態で接続されれば、どのような方法で接続されていても良い。
【０１７７】
本実施形態の視力検査装置２００Ａは、記憶部４０と、レーザ出力制御部５０と、レーザ照射部６０と、を有する。記憶部４０には、端末装置３００の出力処理部２２０から送信される検査条件情報２１５が保持される。
【０１７８】
本実施形態の端末装置３００は、検査処理部２１０、出力処理部２２０、検査結果格納部２３０を有する。
【０１７９】
本実施形態の出力処理部２２０は、検査条件情報２１５を視力検査装置２００Ａへ出力（送信）する。また、出力処理部２２０は、検査結果情報２３１を医療機関に設けられた端末装置１等へ出力する。
【０１８０】
尚、端末装置３００は、検査条件情報２１５や検査結果情報２３１を可搬型の記録媒体等に格納させても良い。視力検査装置２００Ａは、可搬型の記録媒体から、検査条件情報２１５を読み出して、記憶部４０に保持しても良い。医療機関の端末装置１は、可搬型の記録媒体に格納された検査結果情報２３１を読み出して表示させても良い。
【０１８１】
ここで、図２２を参照して、医療機関の端末装置１における検査結果情報２３１の表示例について説明する。
【０１８２】
図２２は、検査結果情報の表示例を示す図である。図２２に示す画面２は、医療機関に設置された端末装置１のディスプレイに表示された画面の例である。
【０１８３】
画面２は、例えば、医師等によって閲覧されるものであり、患者を識別するための識別情報３と、検査結果を示す情報４とが表示されている。
【０１８４】
識別情報３は、例えば、被験者ＩＤと対応する患者ＩＤ等である。検査結果を示す情報４は、検査結果情報２３１に含まれる項目のうち、検査日、入力時刻、視力を含む。
【０１８５】
尚、図２２の例では、検査結果を示す情報４として、検査結果情報２３１の一部が表示されるものとしたが、これに限定されない。画面２では、検査結果情報２３１をそのまま検査結果を示す情報４として表示させても良い。
【０１８６】
このように、端末装置１に検査結果を示す情報を表示させることで、被験者Ｐは、医師による遠隔診療を受けることができる。
【０１８７】
（第四の実施形態）
以下に、図面を参照して第四の実施形態について説明する。第四の実施形態は、端末装置３００の機能をサーバに設けた点が、第一の実施形態と相違する。よって、以下の第四の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１８８】
図２３は、第四の実施形態の視力検査システムのシステム構成を説明する図である。
【０１８９】
本実施形態の視力検査システム１００Ａは、視力検査装置２００Ａ、端末装置３００Ａ、サーバ４００を有する。尚、図２３の例では、視力検査装置２００Ａ及び端末装置３００Ａを１台としているが、視力検査システム１００Ａの有する視力検査装置２００Ａ及び端末装置３００Ａの台数は任意の数であって良い。
【０１９０】
本実施形態の端末装置３００Ａは、サーバ４００から画像データを受信し、受信した画像データを視力検査装置２００Ａへ送信する。また、本実施形態の端末装置３００Ａは、サーバ４００から指示された画面を表示させ、画面において入力された情報をサーバ４００へ送信する。
【０１９１】
本実施形態のサーバ４００は、端末装置３００Ａとネットワークを介して接続されている。サーバ４００は、検査処理部２１０、出力処理部２２０、検査結果データベース２３０Ａを有する。
【０１９２】
本実施形態の検査結果データベース２３０Ａには、端末装置３００Ａにおいて入力された検査結果情報が格納されている。具体的には、検査結果データベース２３０Ａは、例えば端末装置３００Ａが複数存在する場合には、複数の端末装置３００Ａのそれぞれにおいて入力された検査結果情報が、被験者ＩＤ毎に格納される。
【０１９３】
本実施形態では、このように、サーバ４００に検査処理部２１０と出力処理部２２０とを設けたため、端末装置３００Ａにおける処理の負担を軽減できる。
【０１９４】
（第五の実施形態）
以下に図面を参照して第五の実施形態について説明する。第五の実施形態は、サーバが検査処理部、出力処理部を含むアプリケーションを、端末装置に配信する点が、第一の実施形態と相違する。よって、以下の第五の実施形態の説明では、第一の実施形態と同様の機能構成を有するものには、第一の実施形態の説明で用いた符号と同様の符号を付与し、その説明を省略する。
【０１９５】
図２４は、第五の実施形態の視力検査システムのシステム構成を説明する図である。
【０１９６】
本実施形態の視力検査システム１００Ｂは、視力検査装置２００Ａ、端末装置３００Ｂ、サーバ４００Ａを有する。
【０１９７】
本実施形態のサーバ４００Ａは、アプリ配信部４１０を有する。また、サーバ４００Ａは、検査処理部２１０、出力処理部２２０の機能を実現するアプリケーション４２０を有する。
【０１９８】
本実施形態のサーバ４００Ａにおいて、アプリ配信部４１０は、端末装置３００Ｂから、アプリケーション４２０の配信要求を受付けると、配信要求を受け付けた端末装置３００Ｂへアプリケーション４２０を配信する。
【０１９９】
アプリケーション４２０が配信された端末装置３００Ｂは、検査処理部２１０、出力処理部２２０を有する端末装置３００Ｂとなる。尚、このとき、端末装置３００Ｂの検査結果格納部２３０は、端末装置３００Ｂの記憶装置等により実現される。
【０２００】
以上、各実施形態に基づき本発明の説明を行ってきたが、上記実施形態に示した要件に本発明が限定されるものではない。これらの点に関しては、本発明の主旨を損なわない範囲で変更することができ、その応用形態に応じて適切に定めることができる。
【符号の説明】
【０２０１】
１００、１００Ａ、１００Ｂ  視力検査システム
２００、２００Ａ  視力検査装置
２１０  検査処理部
２１１  検査条件保持部
２１２  表示制御部
２１３  入力受付部
２１４  検査結果格納制御部
２１５  検査条件情報
２１６  検査条件取得部
２２０  出力処理部
２３０  検査結果格納部
２３１  検査結果情報
３００、３００Ａ、３００Ｂ  端末装置
４００  サーバ
４１０  アプリ配信部
【図１】
2019097806.tif 000003
【図２】
2019097806.tif 000004
【図３】
2019097806.tif 000005
【図４】
2019097806.tif 000006
【図５】
2019097806.tif 000007
【図６】
2019097806.tif 000008
【図７】
2019097806.tif 000009
【図８】
2019097806.tif 000010
【図９】
2019097806.tif 000011
【図１０】
2019097806.tif 000012
【図１１】
2019097806.tif 000013
【図１２】
2019097806.tif 000014
【図１３】
2019097806.tif 000015
【図１４】
2019097806.tif 000016
【図１５】
2019097806.tif 000017
【図１６】
2019097806.tif 000018
【図１７】
2019097806.tif 000019
【図１８】
2019097806.tif 000020
【図１９】
2019097806.tif 000021
【図２０】
2019097806.tif 000022
【図２１】
2019097806.tif 000023
【図２２】
2019097806.tif 000024
【図２３】
2019097806.tif 000025
【図２４】
2019097806.tif 000026